(57)【要約】【課題】取付枠材に固定された複数の建築用パネルの隣り合う端部同士が、前後方向にずれるのを防ぐことができる建築用パネルの固定構造を提供する。【解決手段】本発明の建築用パネルの固定構造は、取付枠材５１と、この取付枠材５１の前方に隣接配置された複数の建築用パネル１と、取付枠材５１に建築用パネル１を取り付ける取付金具４とを備えている。本発明の建築用パネルの固定構造は、建築用パネル１の隣り合う端部の両背面に当接するように、取付枠材５１の前面に取り付けられ、これにより隣接する建築用パネル１の前面同士を面一とさせる面合わせ具６を備えている【選択図】図１
2014043742.tif 000002
【特許請求の範囲】
【請求項１】
壁下地となる取付枠材と、
この取付枠材の前方に隣接配置された複数の建築用パネルと、
各建築用パネルの背面において各建築用パネルの隣り合う端部よりも内側に固定され、前記取付枠材にこの建築用パネルを取り付ける取付金具と
を備えた建築用パネルの固定構造であって、
前記建築用パネルの隣り合う端部の両背面に当接するように前記取付枠材の前面に取り付けられ、これにより隣接する前記建築用パネルの前面同士を面一とさせる面合わせ具
を備えている
ことを特徴とする建築用パネルの固定構造。
【請求項２】
前記取付枠材は前記建築用パネルの背面に沿って延出する延出片を備えており、
前記面合わせ具は、
前面が建築用パネルの背面に当接し且つ後端が前記延出片の前面に当接する本体部と、
この本体部に設けられ前記延出片の前面に当該本体部を保持させる保持部と
を有している
ことを特徴とする請求項１記載の建築用パネルの固定構造。
【請求項３】
前記本体部は、前記取付枠材に罫書かれた罫書き線を前方から目視させるため前後方向に貫通したスリット開口を有している
ことを特徴とする請求項２記載の建築用パネルの固定構造。
【発明の詳細な説明】
【技術分野】
【０００１】
本発明は、建築用パネルの固定構造に関する。
【背景技術】
【０００２】
特許文献１には、従来の建築用パネルの固定構造が開示されている。この特許文献１記載の耐火パネルは、上方側の端部に上突条部が設けられ、側方側の端部に前突条部が設けられ、下方側の端部に下突条部が設けられている。この耐火パネルは、躯体に固定された定規部材の前方に複数隣接配置されている。
【０００３】
横方向に隣り合う耐火パネルは、前突条部同士が対向する。また、上下方向に隣り合う耐火パネルは、上突条部と下突条部とが対向する。つまり、この耐火パネルの隣り合う端部同士は、前後方向に相互に係合しない単に突き合せられた構造になっている。なお、この耐火パネルの隣り合う端部同士の間には、目地部材が配置される。
【０００４】
このような耐火パネルの裏面には、取付金具が固定されている。取付金具は、定規部材に耐火パネルを取り付けるための金具である。
【先行技術文献】
【特許文献】
【０００５】
【特許文献１】特開２０１２−９２４９７号公報
【発明の概要】
【発明が解決しようとする課題】
【０００６】
ところで、この取付金具は、耐火パネルの外周端部よりも内側に固定されている。また、上述のように、耐火パネルの隣り合う端部同士は、単に突き合せられた構造である。このため、この耐火パネルは、隣り合う端部同士が、耐火パネルのわずかな歪みや施工上の誤差などにより、施工時に前後方向にずれた状態で設置される場合がある。
【０００７】
本発明は、上記事情に鑑みてなされたものであり、その目的とするところは、取付枠材に固定された複数の建築用パネルの隣り合う端部同士が、前後方向にずれるのを防ぐことができる建築用パネルの固定構造を提供することにある。
【課題を解決するための手段】
【０００８】
本発明の建築用パネルの固定構造は、壁下地となる取付枠材と、この取付枠材の前方に隣接配置された複数の建築用パネルと、各建築用パネルの背面において各建築用パネルの隣り合う端部よりも内側に固定され、前記取付枠材にこの建築用パネルを取り付ける取付金具とを備えた建築用パネルの固定構造であって、前記建築用パネルの隣り合う端部の両背面に当接するように前記取付枠材の前面に取り付けられ、これにより隣接する前記建築用パネルの前面同士を面一とさせる面合わせ具を備えていることを特徴とする。
【０００９】
またこの建築用パネルの固定構造において、前記取付枠材は前記建築用パネルの背面に沿って延出する延出片を備えており、前記面合わせ具は、前面が建築用パネルの背面に当接し且つ後端が前記延出片の前面に当接する本体部と、この本体部に設けられ前記延出片の前面に当該本体部を保持させる保持部とを有していることが好ましい。
【００１０】
またこの建築用パネルの固定構造において、前記本体部は、前記取付枠材に罫書かれた罫書き線を前方から目視させるため前後方向に貫通したスリット開口を有していることが好ましい。
【発明の効果】
【００１１】
本発明の建築用パネルの固定構造によれば、取付枠材に固定された複数の建築用パネルの隣り合う端部同士が、前後方向にずれるのを防ぐことができることができる。
【図面の簡単な説明】
【００１２】
【図１】本実施形態の建築用パネルの固定構造の背面側から見た斜視図である。
【図２】本実施形態の建築用パネルの正面側から見た斜視図である。
【図３】本実施形態の建築用パネルに取付金具が取り付けられた状態の斜視図である。
【図４】本実施形態の建築用パネルの断面図であり、（ａ）は鉛直断面であり（ｂ）は水平断面である。
【図５】本実施形態の建築用パネルの固定構造の背面側からみた斜視図である。
【図６】本実施形態の最上端の建築用パネルの上側取付具の固定構造を示す断面図である。
【図７】本実施形態の下側取付具の固定構造を示す断面図である。
【図８】本実施形態の下側取付具の固定構造を示す断面図である。
【図９】（ａ）（ｂ）は、本実施形態の第一面合わせ具の斜視図である。
【図１０】本実施形態の第一面合わせ具であり（ａ）は正面図であり（ｂ）は背面図であり（ｃ）は右側面図であり（ｄ）は平面図であり（ｅ）は底面図である。
【図１１】（ａ）（ｂ）は、本実施形態の第二面合わせ具の斜視図である。
【図１２】本実施形態の第二面合わせ具であり（ａ）は正面図であり（ｂ）は背面図であり（ｃ）は右側面図であり（ｄ）は平面図であり（ｅ）は底面図である。
【図１３】（ａ）（ｂ）は、本実施形態の第三面合わせ具の斜視図である。
【図１４】本実施形態の第三面合わせ具であり（ａ）は正面図であり（ｂ）は背面図であり（ｃ）は右側面図であり（ｄ）は平面図であり（ｅ）は底面図である。
【図１５】（ａ）（ｂ）は、本実施形態の第四面合わせ具の斜視図である。
【図１６】本実施形態の第四面合わせ具であり（ａ）は正面図であり（ｂ）は背面図であり（ｃ）は右側面図であり（ｄ）は平面図であり（ｅ）は底面図である。
【図１７】本実施形態の建築用パネルの固定構造の要部背面図である。
【図１８】本実施形態の建築用パネルの固定構造の開口部周辺の要部背面図である。
【図１９】図１７のＣ−Ｃ断面図である。
【図２０】本実施形態の最下端の建築用パネルの下端部の断面図である。
【図２１】本実施形態の第四面合わせ具の使用状態断面図である。
【発明を実施するための形態】
【００１３】
以下、本発明の実施形態について添付図面に基づいて説明する。
【００１４】
本実施形態の建築用パネル１の固定構造は、図１に示されるように、壁下地５と、複数の建築用パネル１と、壁下地５に各建築用パネル１を取り付ける取付金具４と、建築用パネル１の隣り合う端部の前面同士を面一とさせる面合わせ具６とを備えている。
【００１５】
建築用パネル１は、例えば、サンドイッチパネルである。建築用パネル１は、壁面用の建築材である。建築用パネル１は、縦方向に長い縦張り用の建築用パネル１であってもよいし、横方向に長い横張り用の建築用パネル１であってもよい。なお、本実施形態の建築用パネル１は、縦張り用の建築用パネル１である。
【００１６】
なお、建築用パネル１は、窯業系のパネルであってもよいし、金属サイディング材であってもよいし、木製のパネルであってもよく、特に限定されない。
【００１７】
建築用パネル１は、左右方向に幅を有し、上下方向に長さを有し、これにより正面視矩形状となっている。建築用パネル１は、図４に示されるように、表面板２と、裏面板３と、芯材１１とを備えている。表面板２と裏面板３とは対向配置される。芯材１１は、この表面板２と裏面板３との間に充填される。
【００１８】
表面板２は、表側金属外皮により構成されている。表面板２は、例えば、０．２５〜２．０ｍｍ程度の厚みの金属板により形成されている。表面板２は、例えば、亜鉛めっき鋼板、塗装鋼板、ガルバリウム鋼板（登録商標）、ステンレス鋼板、アルミニウム板、チタン板などにより構成される。
【００１９】
表面板２は、図２に示されるように、前面部２１と、前側側面部２２と、第１の突条部２３とを備えている。表面板２は、前面部２１と前側側面部２２と第１の突条部２３とが、曲げ加工により一体成形されている。前面部２１は、建築用パネル１の前面となる部分である。前面部２１は、正面視矩形状をしている。前面部２１は、例えば、平坦な面により構成されている。なお、前面部２１としては、断面波状に形成されていてもよい。
【００２０】
前側側面部２２は、前面部２１の外周の端縁から後方に向かって延出している。前側側面部２２は、前面部２１の上端縁から後方に向かって延出した上方前側部２２１と、前面部２１の下端縁から後方に向かって延出した下方前側部２２２と、前面部２１の左右方向の両側端縁から後方に向かって延出した側方前側部２２３とを備えている。
【００２１】
第１の突条部２３は、図４に示されるように、前側側面部２２の後方側の先端から延出している。第１の突条部２３は、前側側面部２２から突出している。第１の突条部２３は、断面略コ字状をしている。第１の突条部２３は、上方前側部２２１の後方側の先端から上方に向かって突出した上突条部２３１と、下方前側部２２２の後方側の先端から下方に向かって突出した下突条部２３２と、側方前側部２２３の後方側の先端から側方に向かって突出した第一横突条部２３３とを備えている。上突条部２３１と下突条部２３２と横突条部とは、表面板２の外周方向の全長に亙って連続している。
【００２２】
裏面板３は、裏側金属外皮により構成されている。裏面板３は、例えば、０．２５〜２．０ｍｍ程度の厚みの金属板により形成されている。表面板２は、例えば、亜鉛めっき鋼板、塗装鋼板、ガルバリウム鋼板（登録商標）、ステンレス鋼板、アルミニウム板、チタン板などにより構成される。
【００２３】
裏面板３は、背面部３１と、後側側面部３２と、第２の突条部３３を備えている。裏面板３は、背面部３１と後側側面部３２と第２の突条部３３とが曲げ加工により一体成形されている。背面部３１は、建築用パネル１の背面となる部分である。背面部３１は、背面視矩形状をしている。背面部３１は、例えば、平坦な面により構成されている。
【００２４】
後側側面部３２は、背面部３１の外周の端縁から前方に向かって延出している。後側側面部３２は、背面部３１の上端縁から前方に向かって延出した上方後側部３２１と、背面部３１の下端縁から前方に向かって延出した下方後側部３２２とを備えている。
【００２５】
第２の突条部３３は、背面部３１の側方の端縁から側方に向かって延出している。第２の突条部３３は、断面略コ字状をしている。第２の突条部３３は、左右方向に向かって突出している。
【００２６】
芯材１１は、表面板２と裏面板３との間に充填される。芯材１１は、外側芯材１２と、内側芯材１３とを備えている。
【００２７】
外側芯材１２は、表面板２の前側側面部２２、裏面板３の後側側面部３２及び第２の突条部３３に沿って全周に亙って配置されている。外側芯材１２は、例えば、硫酸カルシウム水和物を主成分とする石膏や、珪酸カルシウムなどにより構成されている。外側芯材１２は、建築用パネル１の厚み寸法と略同じ幅を有しており、帯板状に形成されている。外側芯材１２は、内側芯材１３に比べて高い耐火性能を有している。外側芯材１２は、表面板２および裏面板３の内面に接着により固定されている。
【００２８】
内側芯材１３は、外側芯材１２に囲まれた領域に充填されている。内側芯材１３は、例えば、ロックウールやグラスウール等の無機質断熱材や、ウレタンフォーム・スチレンフォーム・フェノールフォーム・ポリイソシアヌレートフォーム等の合成樹脂発泡体からなる断熱材などが用いられる。また、ペンタンからなる発泡剤により構成されたフロン不使用の発泡断熱材を用いてもよい。芯材１１としては、これら複数種類を組み合わせて形成されていてもよいし、どれか一つだけが用いられていてもよい。
【００２９】
各建築用パネル１は、図５に示されるように、同一鉛直面に沿って配置されるように上下左右に並設される。言い換えると、建築用パネル１は、壁下地５の前方に、複数隣接配置される。各建築用パネル１は、取付金具４を介して、壁下地５に取り付けられている。
【００３０】
壁下地５は、取付枠材５１を備えている。取付枠材５１は、建物躯体（例えば、床下地９）に固定されている。取付枠材５１は、水平方向（左右方向）に長さを有する。取付枠材５１は、例えば、Ｌ型のアングル材により構成される。なお、取付枠材５１としては、アングル材に限らず、Ｈ型鋼や、チャンネル材であってもよく、特に限定されない。
【００３１】
取付枠材５１は、図７等に示されるように、固定片５３と、固定片５３の前方側の先端から鉛直方向に延出する延出片５２とを備えている。延出片５２は、上方または下方に向かって延出する。延出片５２は、建築用パネル１が設置された状態では、当該建築用パネル１の背面に沿って略平行な状態となっている。固定片５３は、躯体（例えば、床下地９）に固定される部分である。固定片５３は、例えば、溶接やボルト留め等により、躯体に固定される。
【００３２】
取付枠材５１は、図５に示されるように、大部分が、建築用パネル１の下端部に沿った位置に配置されている。取付枠材５１は、上下方向に並ぶよう複数設けられている。また、最も上方に位置する取付枠材５１は、建築用パネル１の上端部に沿った位置に配置されている。
【００３３】
建築用パネル１には、取付金具４が固定されている。取付金具４は、壁下地５に建築用パネル１を取り付けるための金具である。取付金具４は、図３に示されるように、上側取付具４５と、下側取付具４１とを備えている。上側取付具４５は、建築用パネル１の背面において、建築用パネル１の左右方向の端面から所定寸法内側に配置され、建築用パネル１の上端面から所定寸法下方に配置される。また、下側取付具４１は、建築用パネル１の背面において、建築用パネル１の左右方向の端面から所定寸法内側に配置され、建築用パネル１の下端面から所定寸法上方に配置される。言い換えると、取付金具４は、建築用パネル１の背面において、隣接する他の建築用パネル１との隣り合う端部よりも内側に固定されている。
【００３４】
また、取付金具４の取付個数は、建築用パネル１の幅寸法に応じて変化する。例えば、幅寸法が９００ｍｍの建築用パネル１の場合、図５に示されるように、取付金具４は、左右方向に離間して２箇所に取り付けられる。また、幅寸法が６００ｍｍの建築用パネル１の場合、図１に示されるように、取付金具４は、左右方向の略中央部に配置される。なお、いずれの建築用パネル１の場合であっても、取付金具４は、左右方向の端面からある程度内側に位置する箇所に取り付けられている。つまり、取付金具４が取り付けられた建築用パネル１の背面の左右方向の両端部には、それぞれ、取付金具４が設けられていない領域が存在する。
【００３５】
下側取付具４１は、下側取付プレート４２と、係止金具４３と、受け金具４４とを備えている。下側取付プレート４２は、上下方向に幅を有し、左右方向に長さを有し、これにより、正面視矩形状をしている。下側取付プレート４２は、長さ方向の両端において、固着具（例えば、ワンサイドボルト）を介して、建築用パネル１の裏面板３に固定される。下側取付プレート４２は、建築用パネル１の背面部３１の下端部において、建築用パネル１の下端面から所定寸法上方に配置され、建築用パネル１の左右方向の両端面から所定寸法内側に配置されている。
【００３６】
係止金具４３は、取付枠材５１の延出片５２に上方から差し込むようにして固定される。係止金具４３は、下側取付プレート４２に固着具（例えば、ねじ具）により取り付けられる。係止金具４３は、左右方向に離間して一対設けられている。各係止金具４３は、左右方向に幅を有し、上下方向に長さを有している。各係止金具４３は、上下方向の中間部分において、段状に屈曲しており、側面視横倒し略Ｚ字状に形成されている。各係止金具４３は、図３に示されるように、上方から下方に向かって、固定部４３１、屈曲部４３２、係止部４３３が連設されている。屈曲部４３２は、固定部４３１の下端に設けられている。係止部４３３は、屈曲部４３２の下端に設けられている。係止部４３３は、裏面板３とは隙間を介して離間している。
【００３７】
受け金具４４は、図８に示されるように、建築用パネル１の自重を支持するための金具である。受け金具４４は、側面視略Ｌ字状をしている。受け金具４４は、下側取付プレート４２に固着具（例えば、ねじ具）を介して取り付けられている。受け金具４４は、建築用パネル１が設置された状態で、取付枠材５１に固定される。この受け金具４４の取付枠材５１への固定は、例えば、溶接により行われる。
【００３８】
上側取付具４５は、図３に示されるように、上側取付プレート４６と、連結具４７とを備えている。上側取付プレート４６は、上下方向に幅を有し、左右方向に長さを有し、これにより、正面視矩形状をしている。上側取付プレート４６は、長さ方向の両端および長さ方向の中央部において、固着具（例えば、ワンサイドボルト）を介して、建築用パネル１の裏面板３に固定される。上側取付プレート４６は、建築用パネル１の背面部３１の上端部において、建築用パネル１の上端面から所定寸法下方に配置され、建築用パネル１の左右方向の両端面から所定寸法内側に配置されている。
【００３９】
連結具４７は、上側取付プレート４６に固着具を介して固定される。連結具４７は、上下方向に長い帯板状の金属プレートである。連結具４７は、左右方向に離間して一対設けられている。連結具４７は、建築用パネル１の上端から上方に向かって突出している。連結具４７は、図７に示されるように、建築用パネル１が設置された状態で、上方側に位置する取付枠材５１の前方側に配置される。連結具４７は、取付枠材５１に、例えば溶接により固定される。
【００４０】
なお、最も上方に位置する建築用パネル１は、図６に示されるように、上側取付プレート４６に、連結具４７に替えて係止金具４３が取り付けられる。
【００４１】
建築用パネル１は、次のようにして取り付けられる。
【００４２】
施工者は、床下地９に壁下地５となる取付枠材５１を設置する。このとき取付枠材５１は、建築用パネル１の設置予定箇所の左右方向の全長に亙って設けられる。
【００４３】
次いで、施工者は、最も下方の建築用パネル１を設置する。施工者は、最も下方の取付枠材５１の所定の位置に、受け金具４４を溶接等により固定する。施工者は、建築用パネル１に取り付けられた係止金具４３を、取付枠材５１の延出片５２の上方から差し込む。この後、施工者は、受け金具４４と、下側取付プレート４２とを、ねじ具により螺合する。また、施工者は、上側取付プレート４６に固定された連結具４７と、当該建築用パネル１の上方に配置された取付枠材５１とを、溶接またはねじ具により固定する。これにより、建築用パネル１が設置される。
【００４４】
次いで施工者は、左右方向に隣接する建築用パネル１を、上記と同様にして設置する。このとき施工者は、断面矩形状の目地棒８を、建築用パネル１同士の間に介装する。目地棒８は、第１の突条部２３と第２の突条部との間に配置される。目地棒８としては、例えば、無機質耐火材（例えば、硫酸カルシウム二水和物（石膏）や珪酸カルシウムなど）を鉄板などの金属板によって被覆することで構成されたものが挙げられる。
【００４５】
施工者は、建築用パネル１を左右方向に順に設置し、これを下方から上方に向かって繰り返す。このとき、施工者は、下方側の建築用パネル１と、これに隣接する上方側の建築用パネル１との間に、目地棒８を介装する。
【００４６】
ところで、本実施形態の建築用パネル１は、上下方向または左右方向に隣接する建築用パネル１同士の隣り合う各端部が、相互に固定されるものではない。つまり、建築用パネル１の隣り合う端部が、前後方向に相互に係合しない非係合端部となっている。
【００４７】
より詳しく言うと、本実施形態の建築用パネル１は、例えば、一方側の端部に嵌合凹部が設けられ、他方側の端部に嵌合凸部が設けられ、この嵌合凹部と嵌合凸部とが相互に嵌合接続されるような、前後方向に係合する建築用パネルとは異なる構造となっており、つまり、本実施形態の建築用パネル１の隣り合う端部同士は前後方向に相互に係合せず、単に突き合わせただけの突き合わせ端部となっている。
【００４８】
このため、建築用パネル１の製造上の歪みや、施工上の僅かな誤差などにより、隣り合う各端部の前面同士が前後方向に僅かにずれた状態で、建築用パネル１が設置されやすいものとなる。これを防ぐべく、本実施形態の建築用パネル１の固定構造には、次のような面合わせ具６が用いられている。以下、説明する。
【００４９】
面合わせ具６は、建築用パネル１の隣り合う端部の背面同士に当接することで、この建築用パネル１の隣り合う端部の前面同士を面一とさせるものである。面合わせ具６としては、図９〜１６に示されるように、幅寸法と長さ寸法とが、それぞれ異なる各種形状のものが用いられる。以下において、面合わせ具６のうち、図９，１０に示すものを第一面合わせ具７１とし、図１１，１２に示すものを第二面合わせ具７２とし、図１３，１４に示すものを第三面合わせ具７３とし、図１５，１６に示すものを第四面合わせ具７４として、必要に応じて区別して説明する。
【００５０】
第一面合わせ具７１は、図９，１０に示されるように、本体部６１と、保持部６５とを備えている。保持部６５は、本体部６１の背面側に設けられた挟持片６５０により構成されている。挟持片６５０と本体部６１とは、曲げ加工により一体成形されている。
【００５１】
本体部６１は、建築用パネル１の背面部３１と、取付枠材５１の延出片５２との間に配置される部分である。本体部６１は、パネル当接部６２と、枠材当接部６３とを備えている。パネル当接部６２は、左右方向に幅を有し、上下方向に長さを有し、これにより正面視矩形状をしている。枠材当接部６３は、パネル当接部６２の幅方向の両端から後方に向かって突出している。第一面合わせ具７１が取付枠材５１に取り付けられると、図１９に示すように、枠材当接部６３の後方側の先端には、取付枠材５１の延出片５２の前面が当接する。なお、枠材当接部６３の前後方向の長さは、取付枠材５１の延出片５２の前面と、建築用パネル１の裏面板３の背面との間の設計上の寸法に設定されている。
【００５２】
本体部６１の前面には、図１７に示されるように、左右方向に隣り合う建築用パネル１の各端部が、幅方向に並ぶようにして当接する。また本体部６１の前面には、上下方向に隣り合う建築用パネル１の各端部が、長さ方向に並ぶようにして当接する。この第一面合わせ具７１には、左右方向に隣接配置された建築用パネル１と、これらの上方に隣接配置された建築用パネル１との各隣り合う端部のすべてが当接する。言い換えると、第一面合わせ具７１は、上下左右に並設された建築用パネル１の各コーナー部分が集まる箇所に配置される。
【００５３】
また、本体部６１の前面（つまり、パネル当接部６２）には、図９に示されるように、上下方向に長いスリット開口６４が設けられている。スリット開口６４は、本体部６１を前後方向に貫通する。スリット開口６４は、幅方向の略中央に設けられている。スリット開口６４は、上下方向に離間して、２箇所に設けられている。上側のスリット開口６４は、本体部６１と挟持片６５０とに跨って設けられている
挟持片６５０は、本体部６１の上端から後方に向かって延出されている。挟持片６５０は、断面逆Ｌ字状をしている。挟持片６５０は、図１９に示されるように、本体部６１の枠材当接部６３との間で延出片５２を挟持し、これにより、本体部６１が延出片５２の前面に保持される。言い換えると、挟持片６５０は、延出片５２の前面に当該本体部６１を保持させる。
【００５４】
第二面合わせ具７２は、図１１，１２に示されるように、幅寸法が、第一面合わせ具７１の幅寸法の約半分の長さとなっている。つまり、第一面合わせ具７１に替えて、第二面合わせ具７２を左右方向に２つ並設することも可能である。この場合、一方の第二面合わせ具７２の本体部６１に、隣り合う建築用パネル１の端部のうちの一方の建築用パネル１の端部を当接し、他方の第二面合わせ具７２の本体部６１に、隣り合う建築用パネル１の端部のうちの他方の建築用パネル１の端部を当接する。なお、第二面合わせ具７２のその他の構造は、第一面合わせ具７１と同じ構造であるため、説明を省略する。
【００５５】
第三面合わせ具７３は、図１３，１４に示されるように、幅寸法が第一面合わせ具７１と略同寸となるが、長さ寸法が、第一面合わせ具７１の長さ寸法の約半分の長さとなっている。第三面合わせ具７３の枠材当接部６３には、下端部から上方に向かって凹状に切り欠いた切欠部６６が設けられている。この切欠部６６は、図２０に示されるように、最も下方の建築用パネル１の下端に配置される水切り板９１の上端との干渉を防ぐものである。なお、第三面合わせ具７３のその他の構造は、第一面合わせ具７１と同じ構造であるため、説明を省略する。
【００５６】
第四面合わせ具７４は、図１５，１６に示されるように、幅寸法が、第一面合わせ具７１の幅寸法の約半分の長さとなり、長さ寸法が、第一面合わせ具７１の長さ寸法の約半分の長さとなっている。この第四面合わせ具７４は、第三面合わせ具７３に替えて、第四面合わせ具７４を左右方向に２つ並設することも可能である。
【００５７】
以上のような構成の各面合わせ具６は、建築用パネル１に対する取付箇所に応じて使い分けられる。
【００５８】
第一面合わせ具７１は、図１７に示されるように、上下左右に並設された建築用パネル１の各コーナー部分が集まる箇所に配置される。つまり、第一面合わせ具７１は、上下方向に隣接配置された建築用パネル１の隣り合う端部の両背面に当接するように、取付枠材５１の前面に取り付けられる。さらに、第一面合わせ具７１は、左右方向に隣接配置された建築用パネル１の隣り合う端部の両背面に当接するように、取付枠材５１の前面に取り付けられる。言い換えると、第一面合わせ具７１は、建築用パネル１の隣り合う４つの端部の背面すべてに当接するように、取付枠材５１の前面に取り付けられる。これにより、第一面合わせ具７１は、上下左右に隣接する建築用パネル１の前面同士を面一とさせる。
【００５９】
第二面合わせ具７２は、図１８に示されるように、上下方向に並設された建築用パネル１の背面に亙るようにして配置される。すなわち、第二面合わせ具７２は、上下方向に隣接配置された建築用パネル１の隣り合う端部の両背面に当接するように、取付枠材５１の前面に取り付けられる。これにより、第二面合わせ具７２は、上下方向に隣接する建築用パネル１の前面同士を面一とさせる。
【００６０】
第三面合わせ具７３は、図２０に示されるように、最も下方に設置された建築用パネル１の下端部に対応する箇所に配置される。第三面合わせ具７３は、左右方向に隣接配置された建築用パネル１の隣り合う端部の両背面に当接するように、取付枠材５１の前面に取り付けられる。これにより、第三面合わせ具７３は、左右方向に隣接する建築用パネル１の前面同士を面一とさせる。
【００６１】
第四面合わせ具７４は、図１８に示されるように、第二面合わせ具７２と組み合わせて使用される。例えば、建物外壁に窓枠８２が嵌め込まれる開口部８１を形成する場合、この開口部８１の角部に配置される。この開口部８１は、部分的に建築用パネル１が設置されない箇所である。開口部８１の角部は、例えば、上下方向に隣接配置された建築用パネル１と、この上方側に配置された建築用パネル１の左右方向に隣接配置された建築用パネル１との３つの建築用パネル１で形成される。
【００６２】
この場合、第二面合わせ具７２は、上下方向に隣接配置された建築用パネル１の隣り合う端部の両背面に当接するように、取付枠材５１の前面に取り付けられる。
【００６３】
また第四面合わせ具７４は、左右方向に隣接配置された建築用パネル１の隣り合う端部のうち、第二面合わせ具７２が当接していない側の建築用パネル１の背面に当接するように、取付枠材５１の前面に取り付けられる。つまり、面合わせ具６は、左右方向に隣接配置された建築用パネル１の隣り合う端部の両背面に当接する。
【００６４】
なお、この第四面合わせ具７４は、取付枠材５１と建築用パネル１の背面との間の距離が設計上の寸法となるよう、スペーサーとしての機能も有する。このため、図１８に示されるように、左右方向の最も端部側に位置する建築用パネル１の端部（建築用パネル１に隣り合わない端部）にも設置される。
【００６５】
以上説明したように、本実施形態の建築用パネル１の固定構造は、床下地９となる取付枠材５１と、複数の建築用パネル１と、取付金具４とを備えている。建築用パネル１は、取付枠材５１の前方に隣接配置されている。取付金具４は、各建築用パネル１の背面において、各建築用パネル１の隣り合う端部よりも内側に固定されている。取付金具４は、取付枠材５１に建築用パネル１を取り付ける。また、本実施形態の建築用パネル１の固定構造は、面合わせ具６を備えている。面合わせ具６は、建築用パネル１の隣り合う端部の両背面に当接するように、取付枠材５１の前面に取り付けられ、これにより、隣接する前記建築用パネル１の前面同士を面一とさせる。
【００６６】
このように本実施形態の建築用パネル１の固定構造は、隣接する建築用パネル１同士が、単に突き合わせられる構造であったとしても、建築用パネル１の前面同士を面一とさせる面合わせ具６が設けられているため、前後方向にずれた状態で固定されにくいものとすることができる。
【００６７】
また、本実施形態の取付枠材５１は、建築用パネル１の背面に沿って延出する延出片５２を備えている。また、本実施形態の面合わせ具６は、本体部６１と、保持部６５とを備えている。本体部６１は、前面が建築用パネル１の背面に当接し、且つ後端が延出片５２の前面に当接する。また、保持部６５は、本体部６１に設けられており、延出片５２の前面に当該本体部６１を保持させる。
【００６８】
このため、本実施形態の建築用パネル１の固定構造によれば、施工者は、取付枠材５１に、予め面合わせ具６を保持させた上で、建築用パネル１を設置することができる。特に、本実施形態の面合わせ具６は、延出片５２の前面に保持されているため、建築用パネル１を設置する際に、例えば建築用パネル１を吊持するワイヤーなどが触れたとしても、位置ずれしにくいものとすることができる。このため、建築用パネル１を設置するに当たり、建築用パネル１の背面を面合わせ具６に当接して設置するだけで、隣接する建築用パネル１の隣り合う端部の前面同士を面一とさせることができる。この結果、本実施形態の建築用パネル１の固定構造によれば、簡単な施工で仕上がりを良好にすることができる。
【００６９】
しかも、本実施形態の面合わせ具６の挟持片５２によれば、延出片５２が下方に突出したものであったとしても、下方から上方に向かって面合わせ具６を取り付けるだけで、当該面合わせ具６を延出片５２の前面に保持させることができる。また、延出片５２が、側方に突出したものであっても同様である。つまり、本実施形態の面合わせ具６によれば、取り付け方向が限られないため、現場に合わせて広く適用することができる。
【００７０】
また、本実施形態の面合わせ具６の本体部６１には、スリット開口６４が設けられている。このスリット開口６４は、取付枠材５１に罫書きされた罫書き線を前方から目視させることができるものである。
【００７１】
施工者は、建築用パネル１を設置する前に、取付枠材５１を設置し、取付枠材５１の所定の位置に、罫書きを入れる。罫書きは、面合わせ具６（の中心線）が配置される設計上の位置に入れられる。このため、面合わせ具６にスリット開口６４が設けられていると、施工者は、スリット開口６４を通して、罫書き線を目視することができて、面合わせ具６を正確な位置に配置することができる。
【００７２】
なお、本実施形態の面合わせ具６は、第一面合わせ具７１、第二面合わせ具７２、第三面合わせ具７３、第四面合わせ具７４を適宜組み合わせて使用することができる。その組み合わせ方は特に限定されない。また、第一面合わせ具７１、第二面合わせ具７２、第三面合わせ具７３、第四面合わせ具７４のうち、いずれかを単独で使用してもよい。
【００７３】
また、本実施形態の建築用パネル１は、隣接する他の建築用パネル１との隣り合う端部は、付き合わせ構造の端部であったが、本発明においては、建築用パネル１における隣接する他の建築用パネル１との隣り合う端部は、例えば、相じゃくり構造の端部であってもよい。
【００７４】
また、第一面合わせ具７１と第三面合わせ具７３には、それぞれスリット開口６４が設けられていたが、本発明の面合わせ具は、このスリット開口６４はなくてもよい。
【符号の説明】
【００７５】
１      建築用パネル
１１    芯材
２      表面板
２１    前面部
２２    前側側面部
２３    第１の突条部
２３３  第一横突条部
３      裏面板
３１    背面部
３２    後側側面部
３３    第２の突条部
４      取付金具
４１    下側取付具
４２    下側取付プレート
４３    係止金具
４３１  固定部
４３２  屈曲部
４３３  係止部
４４    受け金具
４５    上側取付具
４６    上側取付プレート
４７    連結具
５      壁下地
５１    取付枠材
５２    延出片
５３    固定片
６      面合わせ具
６１    本体部
６２    パネル当接部
６３    枠材当接部
６４    スリット開口
６５    保持部
６５０  挟持片
７１    第一面合わせ具
７２    第二面合わせ具
７３    第三面合わせ具
７４    第四面合わせ具
９      床下地
【図１】
2014043742.tif 000003
【図２】
2014043742.tif 000004
【図３】
2014043742.tif 000005
【図４】
2014043742.tif 000006
【図５】
2014043742.tif 000007
【図６】
2014043742.tif 000008
【図７】
2014043742.tif 000009
【図８】
2014043742.tif 000010
【図９】
2014043742.tif 000011
【図１０】
2014043742.tif 000012
【図１１】
2014043742.tif 000013
【図１２】
2014043742.tif 000014
【図１３】
2014043742.tif 000015
【図１４】
2014043742.tif 000016
【図１５】
2014043742.tif 000017
【図１６】
2014043742.tif 000018
【図１７】
2014043742.tif 000019
【図１８】
2014043742.tif 000020
【図１９】
2014043742.tif 000021
【図２０】
2014043742.tif 000022
【図２１】
2014043742.tif 000023